(57)【要約】【課題】より認知率が高い形で各種広告を行える自動広告装置を、提供する。【解決手段】自動広告装置を、Ｗｅｂｌｏｇ等を開設できる装置であって、ユーザが入力した記事上に，その記事の内容に応じた各種広告文（ステップＳ１０１）が示されるＷｅｂｌｏｇページをＷｅｂブラウザに表示させることが出来るＨＴＭＬデータを作成（ステップＳ１０５）する機能を有する装置としておく。【選択図】図３
2006277318.tif 000002
【特許請求の範囲】
【請求項１】
複数種類の広告のそれぞれについて、広告文と，広告スポンサーサイトのＵＲＬと，幾つかの広告対象キーワードとを含む広告対象情報を記憶した広告対象情報記憶手段と、
ユーザから，文字情報を取得する文字情報取得手段と、
前記文字情報取得手段により取得された文字情報の中から、前記広告対象情報記憶手段に前記広告対象情報の要素として記憶されている各広告対象キーワードを検索する検索手段と、
前記文字情報取得手段により取得された文字情報と，前記広告対象情報記憶手段に記憶されている情報と，前記検索手段による検索結果とに基づき、当該文字情報が示される所定構成のＷｅｂページをＷｅｂブラウザに表示させるためのＨＴＭＬデータを作成するＨＴＭＬデータ作成手段であって、前記検索手段によって検索された各広告対象キーワードに対応する部分が，マウスオーバ時に，その広告対象キーワードと同一の前記広告対象情報に含まれる広告文がポップアップ表示される，当該広告対象情報に含まれるＵＲＬがリンク先として指定された広告用リンクとなっているＨＴＭＬデータを作成するＨＴＭＬデータ作成手段と
を、備えることを特徴とする自動広告装置。
【請求項２】
前記検索手段により検索された各広告対象キーワードをユーザに提示して、ユーザに、前記広告用リンクとする広告対象キーワードを選択させるユーザ・インタフェース手段を、さらに、備え、
前記ＨＴＭＬデータ作成手段が、
前記ユーザ・インタフェース手段がユーザに選択させた各広告対象キーワードに対応する部分が，マウスオーバ時に，その広告対象キーワードと同一の前記広告対象情報に含まれる広告文がポップアップ表示される，当該広告対象情報に含まれるＵＲＬがリンク先として指定されたリンクとなっているＨＴＭＬデータを作成する手段である
ことを特徴とする請求項１記載の自動広告装置。
【請求項３】
前記ＨＴＭＬデータ作成手段が作成するＨＴＭＬデータが、ＷｅｂｌｏｇページをＷｅｂブラウザに表示させるためのデータである
ことを特徴とする請求項１又は請求項２記載の自動広告装置。
【請求項４】
コンピュータに、
ユーザから，文字情報を取得する文字情報取得ステップと、
前記文字情報取得ステップによって取得された文字情報の中から、数種類の広告のそれぞれについて、広告文と，広告スポンサーサイトのＵＲＬと，幾つかの広告対象キーワードとを含む広告対象情報を記憶した広告対象情報データベースに，前記広告対象情報の要素として記憶されている各広告対象キーワードを検索する検索ステップと、
前記文字情報取得ステップにより取得された文字情報と，前記広告対象情報データベースに記憶されている情報と，前記検索ステップによる検索結果とに基づき、当該文字情報が示される所定構成のＷｅｂページをＷｅｂブラウザに表示させるためのＨＴＭＬデータを作成するＨＴＭＬデータ作成ステップであって、前記検索手段によって検索された各広告対象キーワードに対応する部分が，マウスオーバ時に，その広告対象キーワードと同一の前記広告対象情報に含まれる広告文がポップアップ表示される，当該広告対象情報に含まれるＵＲＬがリンク先として指定された広告用リンクとなっているＨＴＭＬデータを作成するＨＴＭＬデータ作成ステップと
を、実行させることを特徴とする自動広告プログラム。
【発明の詳細な説明】
【技術分野】
【０００１】
本発明は、自動広告装置及び自動広告プログラムに関する。
【背景技術】
【０００２】
周知のように、近年、Ｗｅｂページに、そのＷｅｂページの内容に応じた広告バナー（広告スポンサーサイトへリンクされた画像）を自動的に掲載することが出来る技術（例えば、非特許文献１参照）を利用して、自身のＷｅｂページに広告バナーを掲載することが盛んに行われるようになってきている。
【０００３】
しかしながら、広告バナーは、図６に模式的に示したように、Ｗｅｂページの上端部分や右端部分に掲載するしかないものであるため、広告バナーを用いた広告時には、閲覧者が広告バナーを見ない（Ｗｅｂページの本文部分しか見ない）といったことが生じ得る。
【０００４】
【非特許文献１】水野貴明  「Ｇｏｏｇｌｅの謎  アフィリエイト編」  株式会社  ソーテック  ２００４年８月２０日  Ｐ．１４２−１６２
【発明の開示】
【発明が解決しようとする課題】
【０００５】
そこで、本発明の課題は、より認知率が高い形で各種広告を行える自動広告装置及び自動広告プログラムを、提供することにある。
【課題を解決するための手段】
【０００６】
上記課題を解決するために、本発明の自動広告装置は、複数種類の広告のそれぞれについて、広告文と，広告スポンサーサイトのＵＲＬと，幾つかの広告対象キーワードとを含む広告対象情報を記憶した広告対象情報記憶手段と、ユーザから，文字情報を取得する文字情報取得手段と、文字情報取得手段により取得された文字情報の中から、広告対象情報記憶手段に広告対象情報の要素として記憶されている各広告対象キーワードを検索する検索手段と、文字情報取得手段により取得された文字情報と，広告対象情報記憶手段に記憶されている情報と，検索手段による検索結果とに基づき、当該文字情報が示される所定構成のＷｅｂページをＷｅｂブラウザに表示させるためのＨＴＭＬデータを作成するＨＴＭＬデータ作成手段であって、検索手段によって検索された各広告対象キーワードに対応する部分が，マウスオーバ時に，その広告対象キーワードと同一の広告対象情報に含まれる広告文がポップアップ表示される，当該広告対象情報に含まれるＵＲＬがリンク先として指定された広告用リンクとなっているＨＴＭＬデータを作成するＨＴＭＬデータ作成手段とを、備える。
【０００７】
すなわち、本発明の自動広告装置は、本文（ユーザが入力した文字情報）上に各種広告文が示されるＷｅｂページ（例えば、Ｗｅｂｌｏｇページ）をＷｅｂブラウザに表示させることが出来るＨＴＭＬデータを作成する構成を、有する。従って、この自動広告装置を用いれば、広告バナーを用いた場合よりも認知率が高い形で各種広告を行えることになる。
【０００８】
本発明の自動広告装置を実現するに際しては、検索手段により検索された各広告対象キーワードをユーザに提示して、ユーザに、広告用リンクとする広告対象キーワードを選択させるユーザ・インタフェース手段を付加しておくと共に、ＨＴＭＬデータ作成手段を、ユーザ・インタフェース手段がユーザに選択させた各広告対象キーワードに対応する部分が，マウスオーバ時に，その広告対象キーワードと同一の広告対象情報に含まれる広告文がポップアップ表示される，当該広告対象情報に含まれるＵＲＬがリンク先として指定されたリンクとなっているＨＴＭＬデータを作成する手段としておくことが出来る。
【０００９】
そして、本発明の自動広告プログラムは、コンピュータを、本発明の自動広告装置（請求項１記載のもの）相当の装置として動作させることが出来るものなのであるから、本発明の自動広告プログラムを用いても、広告バナーを用いた場合よりも認知率が高い形で各種広告を行えることになる。
【発明を実施するための最良の形態】
【００１０】
以下、本発明を実施するための最良の形態を、図面を参照して詳細に説明する。
【００１１】
まず、図１を用いて、本発明の一実施形態に係る自動広告装置１０の概要を説明する。
【００１２】
図１に模式的に示してあるように、本発明の一実施形態に係る自動広告装置１０は、コンピュータ２０のＨＤＤに、ユーザ情報データベース１１，広告情報データベース１２，自動広告プログラム１３，ＯＳ（図示せず）等を記憶した装置である。また、自動広告装置１０は、インターネットに接続されて使用される装置となっている。
【００１３】
本実施形態に係る自動広告装置１０は、所定のユーザ登録手続を行った者（以下、ユーザと表記する）に、自身のコンピュータ５０（Ｗｅｂブラウザ）に対する操作により、Ｗｅｂｌｏｇを開設することや開設したＷｅｂｌｏｇへ記事を追加することなどが可能な環境を提供するための装置である。
【００１４】
自動広告プログラム１３は、自動広告装置１０（自身が実行されているコンピュータ２０）を、上記環境を提供可能な装置として機能させるためのプログラムである。
【００１５】
ユーザ情報データベース１１は、ユーザ登録手続時に、自動広告装置１０（自動広告プログラム１３）がユーザから取得した各種情報や、自動広告装置１０が決定したユーザＩＤ等を記憶したデータベースである。
【００１６】
広告情報データベース１２は、複数種類の広告のそれぞれについて、広告文と，広告スポンサーサイトのＵＲＬと，幾つかの広告対象キーワードとを含む広告対象情報を、記憶したデータベースである。この広告情報データベース１２は、自動広告装置１０の運用者と広告スポンサーとの間で所定の契約が成立したときに、広告対象情報が追加されるデータベースとなっている。
【００１７】
以上のことを前提に、以下、本実施形態に係る自動広告装置１０の動作（自動広告プログラム１３の機能／内容）を、説明する。
【００１８】
本実施形態に係る自動広告装置１０は、図２に示したような記事作成画面（Ｗｅｂページ）をコンピュータ５０のディスプレイ上に表示することにより、ユーザに記事（文字情報）を入力させる装置となっている。また、自動広告装置１０は、この記事作成画面を表示しているコンピュータ５０から，ユーザが入力した記事を含む所定のＨＴＴＰリクエスト（以下、記事追加リクエストと表記する）が送信されてきた場合、図３に示した処理を開始する装置となっている。
【００１９】
すなわち、記事追加リクエストが送信されてきた場合、自動広告装置１０は、まず、当該記事追加リクエストに含まれる記事から、広告対象情報の要素として広告情報データベース１２に記憶されている広告対象キーワードを検索する(ステップＳ１０１)。
【００２０】
そして、自動広告装置１０は、ユーザが入力した記事（記事追加リクエストに含まれいた記事）から１つ以上の広告対象キーワードを検索できた場合(ステップＳ１０２；ＹＥＳ)には、ユーザに、検索できた広告対象キーワード群の中から広告リンク（詳細は後述）とする幾つかの広告対象キーワード（以下、広告リンク化キーワードと表記する）を選択させるための広告リンク化キーワード問い合わせ処理(ステップＳ１０３)を行う。なお、本実施形態に係る自動広告装置１０が実行する広告リンク化キーワード問い合わせ処理は、図４に示した構成の確認・選択画面（Ｗｅｂページ）をユーザのコンピュータ５０のディスプレイ上に表示することにより、ユーザに広告リンク化キーワードを選択させる処理となっている。
【００２１】
ユーザが１つ以上の広告対象キーワードを広告リンク化キーワードとして選択した場合(ステップＳ１０４；ＹＥＳ)、自動広告装置１０は、広告リンク化キーワードとして選択された各広告対象キーワードに対応する部分が，マウスオーバ時に，その広告対象キーワードと同一の広告対象情報に含まれる広告文がポップアップ表示される，当該広告対象情報に含まれるＵＲＬがリンク先として指定された広告リンクとなっているＷｅｂｌｏｇページ用ＨＴＭＬデータを作成して、記事の追加を指示したユーザに関するデータとして記憶する処理(ステップＳ１０５)を行う。要するに、自動広告装置１０は、このステップＳ１０５において、図５に示したようなＷｅｂｌｏｇページをＷｅｂブラウザに表示させることが出来るＷｅｂｌｏｇページ用ＨＴＭＬデータを作成して保存する処理を行う。
【００２２】
そして、ステップＳ１０５の処理を終えた自動広告装置１０は、この図の処理（受信した記事追加リクエストに対する処理）を終了する。
【００２３】
また、自動広告装置１０は、ユーザが入力した記事から広告対象キーワードを検索できなかった場合(ステップＳ１０２；ＮＯ)と、ユーザが広告リンク化キーワードの選択を行わなかった場合(ステップＳ１０４；ＮＯ)とには、広告リンクがないＷｅｂｌｏｇページ用ＨＴＭＬデータを作成して保存する処理(ステップＳ１０６)を行ってから、この図の処理を終了する。
【００２４】
以上、説明したように、本実施形態に係る自動広告装置１０は、ユーザが入力した記事上に各種広告文が示されるＷｅｂｌｏｇページをＷｅｂブラウザに表示させることが出来るＨＴＭＬデータを作成する装置となっている。従って、この自動広告装置１０を用いれば、広告バナーを用いた場合よりも認知率が高い形で各種広告を行えることになる。
【００２５】
《変形形態》
上記した自動広告装置１０／自動広告プログラム１３は、各種の変形を行うことが出来る。例えば、自動広告装置１０／自動広告プログラム１３を、ステップＳ１０３，Ｓ１０４の処理を行わないものに変形することが出来る。また、自動広告プログラム１３を、ユーザのコンピュータ上で実行されるプログラム（インターネット上の広告情報データベース１２にアクセスして動作するプログラム）に変形することも出来る。
【図面の簡単な説明】
【００２６】
【図１】本発明の一実施形態に係る自動広告装置の構成，使用形態の説明図。
【図２】実施形態に係る自動広告装置がコンピュータのディスプレイ上に表示する記事入力画面の説明図。
【図３】実施形態に係る自動広告装置が、記事追加リクエスト受信時に実行する処理の流れ図。
【図４】実施形態に係る自動広告装置が，図３の処理中でコンピュータにディスプレイ上に表示する確認・選択画面の説明図。
【図５】実施形態に係る自動広告装置が作成するＷｅｂｌｏｇページ用ＨＴＭＬデータの機能の説明図。
【図６】広告バナーが掲載されたＷｅｂページの説明図。
【符号の説明】
【００２７】
１０  自動広告装置
１１  ユーザ情報データベース
１２  広告情報データベース
１３  自動広告プログラム
【図１】
2006277318.tif 000003
【図２】
2006277318.tif 000004
【図３】
2006277318.tif 000005
【図４】
2006277318.tif 000006
【図５】
2006277318.tif 000007
【図６】
2006277318.tif 000008